(57)【特許請求の範囲】
【請求項１】
苗箱（Ｃ）の両端部に作用して該苗箱（Ｃ）を掴む苗箱チャック（４ｂ）を設け、該苗箱チャック（４ｂ）を取上げ位置から苗箱搬出コンベヤ（３）の適正位置へ移動させて前記取上げ位置の苗箱（Ｃ）を前記適正位置へ積替えて段積みする構成とし、苗箱チャック（４ｂ）で掴む苗箱（Ｃ）に対向して該苗箱（Ｃ）を揃える苗箱規制装置（２２）を設け、苗箱規制装置（２２）により複数段の苗箱（Ｃ）を揃えてから、苗箱チャック（４ｂ）により該苗箱（Ｃ）を掴み、苗箱（Ｃ）を前記適正位置へ積替える際、苗箱チャック（４ｂ）で掴んでいる複数段の苗箱（Ｃ）の底面よりも下方まで延出する苗箱規制装置（２２）の延長部（２２ａ）により既に積重ねられている最上段の苗箱（Ｃ）を規制させてから、該最上段の苗箱（Ｃ）の上に苗箱チャック（４ｂ）で掴む苗箱（Ｃ）を積重ねる構成としたことを特徴とする苗箱段積み装置。
【請求項２】
苗箱チャック（４ｂ）により掴んでいる苗箱（Ｃ）を下方に向けて押し付ける苗箱押え装置（２４）を設けたことを特徴とする請求項１に記載の苗箱段積み装置。
【請求項３】
苗箱チャック（４ｂ）により掴んでいる苗箱（Ｃ）の落下を検出する苗箱落下センサ（２６）を設け、苗箱落下センサ（２６）が苗箱（Ｃ）の落下を検出すると装置全体が停止する構成としたことを特徴とする請求項１又は請求項２に記載の苗箱段積み装置。
【発明の詳細な説明】
【０００１】
【発明の属する技術分野】
この発明は、育苗施設の苗箱段積み装置に関するものである。
【０００２】
【従来技術】
従来装置は、ロボットアームの先端フレーム部に、一対の前・後苗箱チャックを設けて、この前・後苗箱チャックを苗箱に対して互いに接近させたり、あるいは、離間させて苗箱を挟んだり解放したりながら、既に段積みされている苗箱に苗箱を単に置くか、落として段積みする構成である。
【０００３】
【発明が解決しようとする問題点】
従来装置では、苗箱への土の付着や、苗箱の歪みなどにより、苗箱相互のインローが正確に嵌合しないことがあり、それらが積み重なると苗箱の積み重ね姿勢が悪くなり、苗箱の積込みや、積替え、運搬等の作業に悪影響をあたえるという不具合が発生していた。そこで、この発明はこのような不具合を解消しようとするものである。
【０００４】
【問題を解決するための手段】
請求項１の発明は、苗箱（Ｃ）の両端部に作用して該苗箱（Ｃ）を掴む苗箱チャック（４ｂ）を設け、該苗箱チャック（４ｂ）を取上げ位置から苗箱搬出コンベヤ（３）の適正位置へ移動させて前記取上げ位置の苗箱（Ｃ）を前記適正位置へ積替えて段積みする構成とし、苗箱チャック（４ｂ）で掴む苗箱（Ｃ）に対向して該苗箱（Ｃ）を揃える苗箱規制装置（２２）を設け、苗箱規制装置（２２）により複数段の苗箱（Ｃ）を揃えてから、苗箱チャック（４ｂ）により該苗箱（Ｃ）を掴み、苗箱（Ｃ）を前記適正位置へ積替える際、苗箱チャック（４ｂ）で掴んでいる複数段の苗箱（Ｃ）の底面よりも下方まで延出する苗箱規制装置（２２）の延長部（２２ａ）により既に積重ねられている最上段の苗箱（Ｃ）を規制させてから、該最上段の苗箱（Ｃ）の上に苗箱チャック（４ｂ）で掴む苗箱（Ｃ）を積重ねる構成としたことを特徴とする苗箱段積み装置とする。
請求項２の発明は、苗箱チャック（４ｂ）により掴んでいる苗箱（Ｃ）を下方に向けて押し付ける苗箱押え装置（２４）を設けたことを特徴とする請求項１に記載の苗箱段積み装置とする。
請求項３の発明は、苗箱チャック（４ｂ）により掴んでいる苗箱（Ｃ）の落下を検出する苗箱落下センサ（２６）を設け、苗箱落下センサ（２６）が苗箱（Ｃ）の落下を検出すると装置全体が停止する構成としたことを特徴とする請求項１又は請求項２に記載の苗箱段積み装置とする。
【０００５】
【発明の作用及び効果】
請求項１の発明によると、複数段の苗箱（Ｃ）を苗箱チャック（４ｂ）により掴むにあたり、初めに、苗箱規制装置（２２）により複数段の苗箱（Ｃ）を揃えてきちんと積み重なった状態に修正し、次いで、苗箱チャック（４ｂ）で苗箱（Ｃ）を掴むことにより、掴み損ないを少なくしながら苗箱（Ｃ）の段積みを能率的に正確にすることができる。また、既に積重ねられている最上段の苗箱（Ｃ）を規制させてから、該最上段の苗箱（Ｃ）の上に苗箱チャック（４ｂ）で掴む苗箱（Ｃ）を積重ねるので、きれいな姿勢で苗箱（Ｃ）の段積みができる。
【０００６】
請求項２の発明によると、請求項１の発明の効果に加えて、苗箱押え装置（２４）により上側の苗箱（Ｃ）を下側の苗箱（Ｃ）に押し付けることにより、苗箱相互間のインローを正確に嵌合させて、段積み姿勢を良好にすることができる。
請求項３の発明によると、請求項１又は請求項２の効果に加えて、苗箱チャック（４ｂ）により苗箱（Ｃ）を掴んで移動しているとき、掴み損ない等による苗箱落下時に装置全体の作動を停止することにより、苗箱の段積み姿勢への悪影響や、既に段積みされている苗箱への悪影響を防止できる。
【０００７】
【発明の実施の形態】
以下、図面に示すこの発明の実施例の形態について説明する。
図１は本発明の実施の一例を示す斜視図、図２はその平面図である。この苗植段積み装置１は、苗箱供給コンベヤ２と、苗箱搬出コンベヤ３とが互いに隣接して平行に配置されていて、この苗箱搬出コンベヤ３は２枚の苗箱をその長手方向を左右横向きとして搬送できる幅を有するように構成されている。苗箱供給コンベヤ２の取上げ位置Ａ１，Ａ２，Ａ３に供給された苗箱Ｃ，Ｃ，…を苗箱搬出コンベヤ３の第１段積み位置Ｂ１，Ｂ２，Ｂ３，第２段積み位置Ｂ１’，Ｂ２’，Ｂ３’に段積みする段積みロボット４が設けられている。
【０００８】
苗箱供給コンベヤ２は、１枚の苗箱の長手方向を左右方向にして搬送できる幅を有するローラコンベヤで構成されていて、前記第１取上げ位置Ａ１，Ａ２，Ａ３で夫れ夫れの苗箱Ｃ，Ｃ，…を停止させる第１・第２・第３苗箱ストッパ５，６，７が設けられている。第１苗箱ストッパ５は固定状態で設けられているが、第２・第３苗箱ストッパ６，７は苗箱供給コンベヤ２の搬送面よりも下方に引っ込み可能に構成されている。
【０００９】
苗箱搬出コンベヤ３は、パレット供給装置８により供給される苗箱段積み用のパレットＰを一対のベルト３ａ，３ａ上に載せて搬送するようになっている。パレットＰは、長手方向を左右方向にした苗箱を横方向に２列、縦方向に３列、合計６枚並べた広さを有している。このパレットＰの各苗箱Ｃ，Ｃ，…の並べ位置が前記第１段積み位置Ｂ１，Ｂ２，Ｂ３、第２段積み位置Ｂ１’，Ｂ２’，Ｂ３’と合致するパレット停止位置でパレットＰを停止させるように第１パレットストッパ９が設けられており、この第１パレットストッパ９は苗箱搬出コンベヤ３の搬送面よりも下方に引っ込み可能に設けられている。また、苗箱搬出コンベヤ３の終端部には、パレットＰを停止させる第２パレットストッパ１０が固定状態で設けられている。
【００１０】
段積みロボット４は、中間部折り曲げ可能なロボットアーム４ａの先端部に二段重ねにした苗箱Ｃ，Ｃの長手方向両端部を挟持し保持することのできる３組の苗箱チャック４ｂ，４ｂ，４ｂが設けられている。ロボットアーム４ａ全体を上下に回動したり、あるいは、ロボットアーム４ａの折り曲げ角度を変更することにより、各苗箱チャック４ｂ，４ｂ，４ｂを前記取上げ位置と段積み位置との間を移動させると共に、移動位置を上下に調節できる構成である。
【００１１】
苗箱供給コンベヤ２の始端部における苗箱搬出コンベヤ３の反対側には、播種機（図示省略）等が設置されており、該播種機の下方に苗箱搬出コンベヤ１２が配置されていて、苗箱搬出コンベヤ１２の終端部が苗箱供給コンベヤ２の終端部に直交するように接続されている。苗箱搬出コンベヤ１２の始端部で苗箱を長手方向が搬送方向に沿った状態で載置して搬送され、搬送される途中で、床土供給装置（図示省略）により床土が苗箱Ｃに供給され、以下順次鎮圧・均平装置（図示省略）による床土の鎮圧均平作業、灌水装置（図示省略）による灌水作業、播種装置（図示省略）による播種作業、覆土供給装置（図示省略）による覆土作業がなされ、苗箱搬出コンベヤ１２の終端部に搬送される構成である。
【００１２】
苗箱搬出コンベヤ１２の途中から終端までの部分は早送りコンベヤ１２ａに構成されていて、途中までは苗箱を隙間なく連続状態で搬送し、早送りコンベヤ１２ａでは各苗箱Ｃ，Ｃ，…の間に隙間ができるように搬送できる構成である。そして、早送りコンベヤ１２ａの中途部に、１枚づつ搬送されてくる苗箱を２段に積み重ねる苗箱積重ね装置１３が設けられている。なお、苗箱積重ね装置１３の搬送手前側に、苗箱内の床土表面をならすブラシ装置１４が設けられている。
【００１３】
前記苗箱積重ね装置１３は、苗箱搬出コンベヤ１２の苗箱搬送路を挟んで両側に苗箱の左右縁部に係合して苗箱を持ち上げるリフト爪を備え、１枚目の苗箱が所定の位置にくるとリフト爪が作動して苗箱を持ち上げ、２枚目の苗箱が所定に位置にくるとリフト爪が１枚目の苗箱を解放して２枚目の苗箱の上に積み重ねるように構成されている。
【００１４】
また、苗箱搬出コンベヤ１２の終端部には、搬送されてくる苗箱を受けとめて停止させる苗箱ストッパ１６と、この苗箱ストッパ１６により停止された苗箱を苗箱供給コンベヤ２上に押し出す押出しシリンダ１７とが設けられている。
この苗箱段積み装置１には、苗箱の有無を検出する第１〜第８フォトセンサＰＨ１〜ＰＨ８が８個適所に設けられていて、その検出結果に基づき各部の作動を制御する。以下、苗箱の段積み作動を説明する。
【００１５】
苗箱搬出コンベヤ１２により搬送されて、１枚目の苗箱が苗箱積重ね装置１３まで搬送されて第１フォトセンサＰＨ１がＯＮになると、苗箱積重ね装置１３のリフト爪が作動して当該苗箱を持ち上げ、二枚目の苗箱が苗箱積重ね装置の下方まで搬送されて第１フォトセンサＰＨ１が再度ＯＮすると、リフト爪が１枚目の苗箱を解放して二枚目の苗箱の上に積み重ねる。苗箱積重ね装置１３は前記の作動を繰り返して、苗箱を二段に積み重ねていく。
【００１６】
苗箱積重ね装置１３によって二段重ねにされた苗箱は、苗箱搬出コンベヤ１２の終端部で苗箱ストッパ１６に受け止められて停止する。苗箱が苗箱搬出コンベヤ１２の終端部に到達し、第２フォトセンサＰＨ２がＯＮになると、押出しシリンダ１７が突出作動して苗箱を苗箱供給コンベヤ２上に押し出し、その後押出しシリンダ１７は引っ込む。
【００１７】
押出しシリンダ１７によって苗箱供給コンベヤ２上に押し出された２段重ねの苗箱は、第１・第２・第３取上げ位置Ａ１，Ａ２，Ａ３に向けて搬送される。初期状態では、第２苗箱ストッパ６及び第３苗箱ストッパ７は搬送面よりも下方に引っ込んだ状態になっており、１枚目の苗箱は終端側の第第１取上げ位置Ａ１まで搬送され、第１苗箱ストッパ５により停止される。これにより第３フォトセンサＰＨ３がＯＮすると、第２苗箱ストッパ６が苗箱供給コンベヤ２の搬送面よりも上方に突出する。このため、２枚目の苗箱は第２取上げ位置Ａ２まで搬送され、第２苗箱ストッパ６により停止される。これにより第４フォトセンサＰＨ４がＯＮになると、第３苗箱ストッパ７が苗箱供給コンベヤ２の搬送面よりも上方に突出する。このため、苗箱は第３取上げ位置Ａ３まで搬送され、第３苗箱ストッパ７により停止される。これにより、第５フォトセンサＰＨ５がＯＮになる。
【００１８】
前記のようにして、第１・第２・第３取上げ位置Ａ１，Ａ２，Ａ３に２段重ねの苗箱が供給され、第３・第４・第５フォトセンサＰＨ３，ＰＨ４，ＰＨ５がＯＮになると、段積みロボット４が所定の作動を行い、各取上げ位置の苗箱を後述する苗箱搬出コンベヤ３の適正位置に載替える。具体的には、３組の苗箱チャック４ｂ，４ｂ，４ｂが開いた状態で取上げ位置に移動し、そこで苗箱チャック４ｂ，４ｂ，４ｂが閉じて苗箱を挟持し、次いで苗箱を挟持した苗箱チャック４ｂ，４ｂ，４ｂが苗箱搬出コンベヤ３上の適正位置まで移動し、そこで苗箱チャック４ｂ，４ｂ，４ｂが開いて苗箱を解放するように作動する。
【００１９】
苗箱チャック４ｂ，４ｂ，４ｂを苗箱供給コンベヤ２の取上げ位置から苗箱搬出コンベヤ３上の適正位置へ移動させるためにロボットアーム４ａが作動した時点において、第３・第４・第５フォトセンサＰＨ３，ＰＨ４，ＰＨ５のいずれかがＯＮし苗箱有りを検出した場合には、「異常」として苗箱段積み装置全体を停止させる。
【００２０】
第３・第４・第５フォトセンサＰＨ３，ＰＨ４，ＰＨ５のいずれもがＯＦＦの場合は、「正常」であると判断し、第２苗箱ストッパ６及び第３苗箱ストッパ７を苗箱供給コンベヤ２の搬送面よりも下方に引っ込ませる。これにより苗箱供給コンベヤ２は初期状態となり、前記と同様に、第１・第２・第３取上げ位置Ａ１，Ａ２，Ａ３に二段重ねの苗箱が夫れ夫れ供給される。
【００２１】
パレット供給装置８は、第６フォトセンサＰＨ６がＯＦＦになるとき、苗箱搬出コンベヤ１２にパレットＰを供給する。このパレットＰがパレット停止位置まで移動すると、苗箱搬出コンベヤ３の搬送面よりも上方に突出した状態にある第１パレットストッパ９により受け止められて停止する。これにより、第６フォトセンサＰＨ６、第７フォトセンサＰＨ７がＯＮになり、苗箱搬出コンベヤ３が停止し、段積みロボット４がパレットＰに苗箱の段積みを開始する。段積みロボット４による苗箱の段積みは、次のようにして実行される。
【００２２】
１組目の苗箱は苗箱供給コンベヤ２から遠い側の第２段積み位置Ｂ１’，Ｂ２’，Ｂ３’に苗箱を載置する。２組目の苗箱は１組目の苗箱の上に載置される。以下同様にして、所定段数になるまで苗箱を段積みする。そして、第２段積み位置Ｂ１’，Ｂ２’，Ｂ３’に苗箱が所定段数積重ねられると、次いで、苗箱供給コンベヤ２から近い側の第１段積み位置Ｂ１，Ｂ２，Ｂ３に苗箱を段積みする。
【００２３】
しかして、第１・第２段積み位置Ｂ１，Ｂ２，Ｂ３、Ｂ１’，Ｂ２’，Ｂ３’に苗箱が所定段数ずつ段積みされた時点で、第８フォトセンサＰＨ８がＯＦＦである場合は、第１パレットストッパ９が下降すると共に、苗箱搬出コンベヤ３が作動する。この時点で、第８フォトセンサＰＨ８がＯＮの場合には、そのままの状態を保持する。苗箱搬出コンベヤ３の終端部まで搬送されたパレットＰは、第２パレットストッパ１０によって受け止められて停止する。
【００２４】
次に、図３に基づき、段積みロボット４における３組の苗箱チャック４ｂ，４ｂ，４ｂで苗箱を挟む際に苗箱の段積み状態をきちんと揃える苗箱規制装置について説明する。
中間部折り曲げ可能なロボットアーム４ａの先端部に、二段重ねにした苗箱Ｃ，Ｃの長手方向両端部を挟持し保持することのできる３組の苗箱チャック４ｂ，４ｂ，４ｂが設けられている。この苗箱チャック４ｂは一対の前・後苗箱チャック４０，４０により構成されていて、例えば、挟持シリンダにより構成されている挟持駆動手段２１を伸縮することにより、前・後苗箱チャック４０，４０を苗箱の長手方向に互いに接近させたり、あるいは、離間させて、苗箱Ｃの短辺部の中央凹部Ｃ１，Ｃ１を挟んだり、解放したりする構成である。
【００２５】
また、ロボットアーム４ａの先端フレーム部４１には前・後チャック４０，４０で挟む苗箱Ｃの四隅部に対向して苗箱規制装置２２，２２，…を設け、規制シリンダにより構成されている規制駆動手段２３，２３，…を伸縮することにより、苗箱規制装置２２，２２，…を苗箱の長手方向に互いに接近させたり、あるいは、離間させて、苗箱Ｃの四隅部を互いに内側に移動し、二段の苗箱Ｃ，Ｃを揃えきちんと重なった状態に修正するものである。
【００２６】
従って、苗箱を苗箱チャック４ｂ，４ｂにより掴むにあたり、初めに、苗箱規制装置２２，２２，…で二段の苗箱Ｃ，Ｃをきちんと積み重なった状態に修正し、次いで、苗箱チャック４ｂ，４ｂで苗箱Ｃ，Ｃを掴むことにより、掴み損ないを少なくして能率的に苗箱の段積みをすることができる。
【００２７】
なお、図４に示すように、前記苗箱規制装置２２，２２，…の下端部を苗箱チャック４ｂ，４ｂで掴んでいる二段の苗箱Ｃ，Ｃの底面よりも下方まで延出する延長部２２ａを設けるように構成してもよい。このようにすると、ロボットアーム４ａが掴んだ二段の苗箱Ｃ，ＣをパレットＰ上の段積みされた苗箱に積重ねる際に、苗箱規制装置２２，２２，…を外側から内側に移動させることにより既に積重ねられている最上段の苗箱Ｃを挟み一致させることができて、その上に掴んでいる苗箱Ｃ，Ｃを積重ねることができて、きれいな姿勢で苗箱の段積みができる。
【００２８】
従来装置では、下側の苗箱に対して上側の苗箱を単に置くか、落としながら苗箱を段積みするので、土の付着や、苗箱の歪みなどで、苗箱相互のインローが正確に嵌合しないことがあり、それらが積み重なると苗箱の積み重ね姿勢が悪くなり、苗箱の積込みや、積替え、運搬等の作業に悪影響をあたえることがあった。
【００２９】
しかし、この実施例では、積重ねられた苗箱に苗箱を段積みする際に、苗箱規制装置２２，２２，…により積重ね状態を適正に修正しながら苗箱を順次積重ねることができて、前記不具合を防止することができる。
次に、図５に基づき二段重ねの苗箱を正確に積み重ねる装置について説明する。
【００３０】
ロボットアーム４ａの先端フレーム部４１には、苗箱チャック４ｂ，４ｂにより掴んだ二段の苗箱Ｃ，Ｃの上方に位置するように苗箱押え装置２４を設けている。この苗箱押え装置２４は、押えシリンダ２５の伸縮により上下動し、苗箱チャック４ｂ，４ｂで掴んでいる上側の苗箱Ｃを押えて、上下二段の苗箱Ｃ，Ｃのインローを正確に嵌合し、積重ね姿勢を良好にするものである。
【００３１】
従来の段積みロボットによる苗箱段積み装置は、下側の苗箱に対して上側の苗箱を単に置くか、落とすことにより苗箱を段積みするので、土の付着や、苗箱の歪みなどで、苗箱相互のインローが正確に嵌合しないことがあり、それらが積み重なると苗箱の積み重ね姿勢が悪くなるという不具合があった。
【００３２】
前記のように、ロボットアーム４ａが苗箱の積込み位置に移動した際に、まず、苗箱押え装置２４により二段の苗箱Ｃ，Ｃを押しつけることにより、苗箱相互間のインローを正確に嵌合し、段積み姿勢を良好にすることができる。
また、図６に示すように、この苗箱押え装置２４に苗箱の落下を検出する苗箱落下センサ２６を設けてもよい。この苗箱落下センサ２６は、例えば、押えシリンダ２５には伸縮による上下動に従動して移動するマグネット部を設け、先端フレーム部４１の押えシリンダ２５近傍にリードスイッチ部を設けて構成する。
【００３３】
しかして、苗箱チャック４ｂ，４ｂで掴んでいる苗箱が落下し、押えシリンダ２５が下動したのを苗箱落下センサ２６が検出すると、苗箱段積み装置１の全体を急停止するのである。
このように構成することにより、ロボットアーム４ａでの苗箱を掴んでの移動中に、掴み損ない等による苗箱落下時に装置全体の作動を停止することにより、苗箱の段積み姿勢への悪影響や、既に段積みされている苗箱への悪影響を防止できる。
【００３４】
次に、図７に基づき床土供給装置（図示省略）部分の苗箱搬出コンベヤ１２の構成について説明する。
前記床土供給装置（図示省略）部分の苗箱搬出コンベヤ１２は、次のように構成されている。複数のローラー２７，２７，…にひも状のベルト２８，２８，…を巻き掛けて、苗箱搬出コンベヤ１２を構成する。このベルト２８，２８，…上面に苗箱を載置し搬送しながら床土を落下供給する。床土供給装置（図示省略）の下方のベルト２８，２８，…部分には、振動フレーム２９，２９に回転自在に支架されていて断面例えば四角形の振動ローラー３０，３０を配置し、振動ローラー３０，３０の軸３０ａ，３０ａを振動ベルト３１により回転し、搬送中の苗箱Ｃに振動を付与し、苗箱内のポットへの床土の入り具合を多くするものである。
【００３５】
また、振動フレーム２９，２９をコンベヤフレーム３２に対して調節ボルト３３，３３により上下調節することにより、振動ローラー３０，３０の搬送面からの突出量を調節できて苗箱の振動における振幅を変更することができ、ポットへの床土の供給状況によって適確な振幅で苗箱を振動させることができ、床土の粘度等の性質が異なってもポットへの床土供給を適正に且つ良好に行える。
【００３６】
次に、図８に基づき点播型播種装置の苗箱内のポットシート３４への種子供給装置について説明する。
点播型播種装置（図示省略）は一粒ずつ種子吸着管に吸着した種子を播種管３５に供給し、播種管３５の下端から種子落し板３６の播種パイプ３７を経て苗箱内のポットシート３４のポット部３４ａに播種される構成である。
【００３７】
その際に、種子落し板３６の底面をポット部３４ａの上端縁に接近させつつ移動し、種子の飛散を防止しながら播種するものである。従来装置は図８（２）に示すように、種子落し板３６の進行前側部がポットの上面に沿った平板状に構成していたので、苗箱内に入った床土の具合等により、ポットシート３４の継ぎ目３７部分が少し浮き上がることがあり、種子落し板３６の先端が引っ掛かり、播種不良の原因となっていた。
【００３８】
そこで、この実施例では、図８（１）に示すように、種子落し板３６の進行前側部を上方に屈曲する屈曲部３６ａに構成したので、ポットシート３４の継ぎ目３７が多少浮き上がっていても、種子落し板３６の先端部への引っ掛かりを防止し、播種精度を向上させることができる。
【図面の簡単な説明】
【図１】  全体の斜視図である。
【図２】  全体の平面図である。
【図３】  要部の正面図、側面図である。
【図４】  要部の正面図である。
【図５】  要部の正面図、側面図である。
【図６】  要部の正面図である。
【図７】  要部の側面図、平面図である。
【図８】  要部の側面図である。
【符号の説明】
１    苗箱段積み装置
２    苗箱供給コンベヤ
３    苗箱搬出コンベヤ
４    段積みロボット
４ａ  ロボットアーム
４ｂ  苗箱チャック
４０    前・後チャック
２１    挟持駆動手段
２２    苗箱規制装置
２３    規制駆動手段
２４    苗箱押え装置
２５    押えシリンダ
２６    苗箱落下センサ
【図１】
0004862216.tif 000002
【図２】
0004862216.tif 000003
【図３】
0004862216.tif 000004
【図４】
0004862216.tif 000005
【図５】
0004862216.tif 000006
【図６】
0004862216.tif 000007
【図７】
0004862216.tif 000008
【図８】
0004862216.tif 000009